(57)【要約】【課題】施工性及び排水性の向上を図ることができ、見栄えも良好な勾配屋根の緑化構造を提供する。【解決手段】この緑化構造は、屋根下地面１上に勾配方向に沿った緑化用下地板２・・を並設し、その上に設置した植栽基盤３０・・に植物５０を植え付けている。緑化用下地板２・・は、勾配方向に沿った立上がり片６、６と、植栽基盤３０・・の勾配方向への滑りを防止する滑り止め片７・・とを備え、隣接する緑化用下地板２、２の立上がり片６、６同士を重ね合わせて、連結キャップ２０を被せることで連結されている。連結キャップ２０・・と滑り止め片７・・との間には、排水用の隙間２６・・が形成され、連結キャップ２０・・と滑り止め片７・・とによって囲まれた基盤設置領域２５・・に植栽基盤３０・・を設置している。【選択図】図３
2008184795.tif 000002
【特許請求の範囲】
【請求項１】
勾配屋根の屋根下地面（１）上に、勾配方向に沿った複数の緑化用下地板（２）・・を桁行方向に並設するとともに、これら緑化用下地板（２）・・上に設置した複数の植栽基盤（３０）・・に植物（５０）を植え付けた勾配屋根の緑化構造であって、前記緑化用下地板（２）・・は、勾配方向に沿った両端部を折曲してなる立上がり片（６）（６）と、これら立上がり片（６）（６）間において桁行方向に沿って立設されて、前記植栽基盤（３０）・・の勾配方向への滑りを防止する滑り止め片（７）・・とを備え、隣接する緑化用下地板（２）（２）の立上がり片（６）（６）同士を重ね合わせて、これら立上がり片（６）（６）に勾配方向に沿った連結キャップ（２０）を被せることで、隣接する緑化用下地板（２）（２）を連結するとともに、前記連結キャップ（２０）・・と前記滑り止め片（７）・・との間に前記緑化用下地板（２）・・上を勾配方向に沿って流れる水を軒側へ逃がすための排水用の隙間（２６）・・を確保し、前記連結キャップ（２０）・・と前記滑り止め片（７）・・とによって囲まれた基盤設置領域（２５）・・に前記植栽基盤（３０）・・を設置したことを特徴とする勾配屋根の緑化構造。
【請求項２】
前記植栽基盤（３０）・・の上面が、前記連結キャップ（２０）・・の略先鋭状の上端部と略同じ高さに位置するように、前記植栽基盤（３０）・・を前記基盤設置領域（２５）・・に設置した請求項１記載の勾配屋根の緑化構造。
【請求項３】
前記勾配屋根の屋根下地面（１）に複数の吊子（１０）・・を取り付け、これら吊子（１０）・・は、前記勾配屋根の屋根下地面（１）に固定される固定片（１２）と、この固定片（１２）から立ち上がって前記隣接する緑化用下地板（２）（２）の立上がり片（６）（６）によって挟み込まれる垂直片（１３）と、この垂直片（１３）の上端部から互いに相対する方向に延出して前記垂直片（１３）を挟み込む立上がり片（６）（６）の上端部に夫々係合する一対の係合片（１４）（１４）とを備えた請求項１又は２記載の勾配屋根の緑化構造。
【請求項４】
前記連結キャップ（２０）・・に、前記基盤設置領域（２５）・・に設置した前記植栽基盤（３０）・・の上面を押さえ付ける押さえ部材（４０）・・を取り付けた請求項１乃至３のいずれかに記載の勾配屋根の緑化構造。
【請求項５】
前記押さえ部材（４０）・・に、潅水ホース（４７）を取り付けるホース取付部（４３）・・を設けた請求項４記載の勾配屋根の緑化構造。
【発明の詳細な説明】
【技術分野】
【０００１】
この発明は、戸建て住宅等の勾配屋根を芝生等の植物によって緑化するための緑化構造に関する。
【背景技術】
【０００２】
近年、都市部においては、街並みの景観向上、大気汚染やヒートアイランド現象の緩和等を目的として、建物の緑化対策が進められている。この建物の緑化対策としては、建物の屋上面において植物を植栽した屋上緑化、建物の外壁面において植物を植栽した壁面緑化が一般的であり、また戸建て住宅の勾配屋根において植物を植栽する勾配屋根緑化も見受けられる。
【０００３】
勾配屋根緑化に際しては、植栽部分の屋根勾配方向への滑りを防止するといった対策が必要となる。例えば、特許文献１には、植栽基盤の滑りを防止するアングルを備えた複数の緑化用下地板を、屋根下地面に取り付けた桟材に１つ１つ釘等によって固定しながら勾配方向に沿って順次並設して、それら緑化用下地板上に載せた植栽基盤に植物を植え付けるようにした勾配屋根の緑化構造が開示されている。また、特許文献２には、植栽基盤の滑りを防止するアングルを備えた複数の緑化用下地板を、屋根下地面に１つ１つ釘等によって固定しながら勾配方向に沿って順次並設して、それら緑化用下地板上に載せた植栽基盤に植物を植え付けるようにした勾配屋根の緑化構造が開示されている。
【０００４】
【特許文献１】特開２００４−１５０１３９号公報
【特許文献２】特開平８−１３７１３号公報
【発明の開示】
【発明が解決しようとする課題】
【０００５】
しかしながら、従来の勾配屋根の緑化構造においては、複数の緑化用下地板を、桟材や屋根下地面に１つ１つ釘等によって固定しながら勾配方向に沿って順次並設していたので、釘打ち箇所が多くなって緑化用下地板の取り付けに手間がかかり、施工性が悪いといった問題があった。また、緑化用下地板のアングルによって勾配方向に沿って流れる水が堰き止められて、植栽基盤に水が溜まり易くなり、植物の根腐れの原因となることもあった。さらに、植栽基盤の勾配方向への滑りはアングルによって規制することができるものの、これらの桁行方向へのずれに対しては十分な対策がなされておらず、例えば強風や激しい降雨によって植栽基盤が勾配方向へずれて局部的に盛り上がったり、場合によっては部分的にめくれ上がるといった危険性もあった。
【０００６】
一方、屋根葺き工法の１つとして、勾配方向に沿った複数の屋根板を、屋根下地面上において勾配方向に沿った通し吊子及びキャップを介して連結した瓦棒葺き屋根が知られている。このような瓦棒葺き屋根の連結構造を適用して、勾配方向に沿った複数の緑化用下地板を、屋根下地面上において通し吊子及びキャップを介して連結しながら桁行方向に沿って順次並設して、これら緑化用下地板に設置した植栽基盤に植物を植え付けるといった緑化構造も検討されている。
【０００７】
この場合には、複数の緑化用下地板を１つ１つ釘止めする構造のものと比較して、釘打ち箇所を少なくすることができるものの、逆に緑化用下地板同士の連結に手間がかかって依然として施工性が悪いといった問題があった。また、隣接する緑化用下地板間の隙間に通し吊子及びキャップが介在して、これらが植栽面にも露出して見栄えが悪くなることもあった。さらに、植栽基盤の勾配方向への滑りを防止するために、緑化用下地板にアングル等を取り付ける必要があるが、このアングルによって上記のように排水性が損なわれることもあった。
【０００８】
この発明は、上記不具合を解決するため、施工性及び排水性の向上を図ることができ、見栄えも良好な勾配屋根の緑化構造の提供を目的とする。
【課題を解決するための手段】
【０００９】
上記課題を解決するため、この発明の勾配屋根の緑化構造は、勾配屋根の屋根下地面１上に、勾配方向に沿った複数の緑化用下地板２・・を桁行方向に並設するとともに、これら緑化用下地板２・・上に設置した複数の植栽基盤３０・・に植物５０を植え付けたものであって、前記緑化用下地板２・・は、勾配方向に沿った両端部を折曲してなる立上がり片６、６と、これら立上がり片６、６間において桁行方向に沿って立設されて、前記植栽基盤３０・・の勾配方向への滑りを防止する滑り止め片７・・とを備え、隣接する緑化用下地板２、２の立上がり片６、６同士を重ね合わせて、これら立上がり片６、６に勾配方向に沿った連結キャップ２０を被せることで、隣接する緑化用下地板２、２を連結するとともに、前記連結キャップ２０・・と前記滑り止め片７・・との間に前記緑化用下地板２・・上を勾配方向に沿って流れる水を軒側へ逃がすための排水用の隙間２６・・を確保し、前記連結キャップ２０・・と前記滑り止め片７・・とによって囲まれた基盤設置領域２５・・に前記植栽基盤３０・・を設置したことを特徴とする。
【００１０】
具体的に、前記植栽基盤３０・・の上面が、前記連結キャップ２０・・の略先鋭状の上端部と略同じ高さに位置するように、前記植栽基盤３０・・を前記基盤設置領域２５・・に設置している。
【００１１】
また、前記勾配屋根の屋根下地面１に複数の吊子１０・・を取り付け、これら吊子１０・・は、前記勾配屋根の屋根下地面１に固定される固定片１２と、この固定片１２から立ち上がって前記隣接する緑化用下地板２、２の立上がり片６、６によって挟み込まれる垂直片１３と、この垂直片１３の上端部から互いに相対する方向に延出して前記垂直片１３を挟み込む立上がり片６、６の上端部に夫々係合する一対の係合片１４、１４とを備えている。
【００１２】
さらに、前記連結キャップ２０・・に、前記基盤設置領域２５・・に設置した前記植栽基盤３０・・の上面を押さえ付ける押さえ部材４０・・を取り付けている。さらにまた、前記押さえ部材４０・・に、潅水ホース４７を取り付けるホース取付部４３・・を設けている。
【発明の効果】
【００１３】
この発明の勾配屋根の緑化構造では、緑化用下地板を縦葺きして、立上がり片同士を重ね合わせて連結キャップによって連結するようになっているので、複数の緑化用下地板を１つ１つ釘止めする構造のものと比較して、釘打ち箇所を少なくすることができ、しかも瓦棒葺き屋根の連結構造と比較して、緑化用下地板同士の連結も連結キャップをワンタッチで被せるだけで簡単に行うことができ、これによって施工性の向上を図ることができる。
【００１４】
また、緑化用下地板には、予め立上がり片や滑り止め片が形成されていて、曲げ剛性が高められているので、長尺の緑化用下地板であってもその撓みやしなりを抑えることができ、運搬や敷設を良好に行って施工性をさらに高めることができる。
【００１５】
さらに、連結キャップと滑り止め片とによって格子状に区画形成された基盤設置領域に植栽基盤を設置しているので、植生基盤の勾配方向への滑り及び桁行方向へのずれを防止して、勾配屋根に対して植栽基盤を整然と安定して保持させることができる。しかも、連結キャップと滑り止め片との間には、排水用の隙間が確保されているので、植栽基盤に溜まった余剰水を排水用の隙間を通じて軒側へ速やかに逃がすことができ、排水性を向上して植物の根腐れ等を防止することができる。
【００１６】
また、連結キャップの上端部を略先鋭状として、この上端部の高さ位置に植栽基盤の上面を合わせるようにしているので、植栽面において連結キャップの上端部が目立つことはなく、植物を植え付けることで連結キャップの上端部は完全に隠され、見栄えを良好に維持することができる。
【００１７】
さらに、屋根下地面に取り付けた吊子によって、隣接する緑化用下地板の立上がり片を互いに重ね合わせた状態で係止して、緑化用下地板を位置決めしているので、連結キャップによる連結作業を簡単かつ確実に行うことができ、施工性をより一層高めることができる。
【００１８】
さらにまた、連結キャップに取り付けた押さえ部材によって、植栽基盤の上面を押さえ付けているので、植栽基盤の浮き上がりを防止してより安定した設置が可能となる。しかも、押さえ部材のホース取付部に潅水ホースを取り付けることで、新たにホース取付用の部材を設ける必要がなく、部品の共有化を図って施工費を削減することができる。
【発明を実施するための最良の形態】
【００１９】
以下、この発明の一実施形態に係る勾配屋根の緑化構造を、その施工手順に従って図面に基づいて詳細に説明する。まず、図１に示すように、勾配屋根の屋根下地面１上に、勾配方向に沿った複数の緑化用下地板２・・を桁行方向に並設する。なお、屋根板地面１は、野地板３上にルーフィング４を敷設して防水処理を施すことによって構成された防水面である。また、図１中、Ａは勾配方向、Ｂは桁行方向を示している。
【００２０】
各緑化用下地板２は、例えば鋼板製であって、その板本体５の勾配方向に沿った両端部を折曲することによって立上がり片６、６が形成されている。なお、これら立上がり片６、６の上端部は、互いに近接する方向に鋭角状に折り返されている。また、緑化用下地板２には、立上がり片６、６間において勾配方向に間隔をあけて桁行方向に沿った複数の滑り止め片７・・が立設されている。このように、緑化用下地板２は、立上がり片６、６や滑り止め片７・・を有していることから、長尺の緑化用下地板２であってもその撓みやしなりを抑えることができ、運搬や敷設を良好に行うことができる。
【００２１】
緑化用下地板２・・の並設に際しては、予め屋根下地面１に対して緑化用下地板２・・の割り付けを行い、その割り付けに応じて屋根下地面１に吊子１０・・を取り付けておく。各吊子１０は、例えば金属製であって、図２に示すように、屋根下地面１にビス止め固定されるビス孔１１、１１付きの固定片１２と、この固定片１２から立ち上がった垂直片１３と、この垂直片１３の上端部から互いに相対する方向に鋭角状に折り返された一対の係合片１４、１４を備えている。
【００２２】
そして、隣接する緑化用下地板２、２の立上がり片６、６によって吊子１０の垂直片１３を挟み込みながら、それら立上がり片６、６の上端部に係合片１４、１４を夫々被せるように係合させることで、緑化用下地板２・・が、吊子１０・・によって係止された状態で割り付け位置に位置決めされる。このとき、隣接する緑化用下地板２、２の立上がり片６、６同士は、互いに重ね合わされた状態となっている。そして、これら立上がり片６、６の上端部間には、防止材１５が貼り付けられて、重ね合わされた立上がり片６、６間の隙間からの水の浸入が防止され、雨仕舞いを良好にしている（図５参照）。
【００２３】
続いて、図３に示すように、隣接する緑化用下地板２、２の互いに重ね合わされた立上がり片６、６に、勾配方向に沿った連結キャップ２０を被せることで、隣接する緑化用下地板２、２を連結する。このとき、吊子１０・・も連結キャップ２０によって覆い隠される。
【００２４】
各連結キャップ２０は、例えば金属製であって、図４に示すように、その上端部を構成する略先鋭状の頂片２１と、この頂片２１の下端部から下方へ延出した一対の側片２２、２２とからなり、側片２２、２２は、その中間部が互いに近接する方向にく字状に折曲され、その下端部が互いに近接する方向に折り返しされている。この連結キャップ２０を、緑化用下地板２、２の立上がり片６、６に対して上方から被せると、側片２２、２２が立上がり片６、６の折り返し部に当接して互いに離間する方向に押し広げられ、立上がり片６、６の折り返し部が頂片２１内に納まったときに、側片２２、２２が元の状態に復帰するようになっている。この状態において、図５に示すように、立上がり片６、６の折り返し部が連結キャップ２０の側片２２、２２の折曲部に引っ掛かって、連結キャップ２０の抜けが防止されるようになっている。なお、図５において、２４は鋼製母屋である。
【００２５】
このようにして複数の連結キャップ２０・・を取り付けることで、図３に示すように、緑化用下地板２・・上に、連結キャップ２０・・と滑り止め片７・・とによって囲まれた基盤設置領域２５・・が格子状に区画形成される。また、連結キャップ２０・・と滑り止め片７・・との間には、緑化用下地板２・・上を勾配方向に沿って流れる水を軒側へ逃がすための排水用の隙間２６・・が確保されている。なお、排水用の隙間２６・・は、連結キャップ２０・・と滑り止め片７・・との間だけでなく、例えば滑り止め片７・・の桁行方向の中間部にも形成しても良い。このように、排水用の隙間２６・・を確保することで、例えば激しい降雨や過剰給水等によって余剰水が生じた場合でも、排水用の隙間２６・・を通じて余剰水を軒側へ速やかに排出することができ、植物の根腐れ等を防止することができる。
【００２６】
そして、図６に示すように、例えば人工軽量土壌等からなる植栽基盤３０・・を基盤設置領域２５・・に夫々設置する。このとき、植栽基盤３０・・の上面が、連結キャップ２０・・の略先鋭状の上端部と略同じ高さに位置し、植栽面において連結キャップ２０・・の上端部が目立たなくなっている。
【００２７】
植栽基盤３０・・を設置した後には、図７に示すように、連結キャップ２０・・に勾配方向に間隔をあけて複数の押さえ部材４０・・を取り付けて、植栽基盤３０・・の上面を押さえ付けるようにしている。各押さえ部材４０は、例えば金属製であって、図８に示すように、連結キャップ２０を挟み込む一対の挟持片４１、４１と、これら挟持片４１、４１の上端部から上方へ延出して互いに重ね合わされた一対の垂直片４２、４２と、これら垂直片４２、４２の上端部から互いに相対する方向へ延出した複数の水平片４３・・と、垂直片４２、４２に取り付けられた一対の略Ｌ字形の押さえ片４４、４４とからなる。挟持片４１、４１は、連結キャップ２０の略相似形に形成されており、連結キャップ２０に対して上方から被せるようにして取り付けられるようになっている。押さえ片４４、４４は、その垂直部４４ａ、４４ａが垂直片４２、４２にボルト４５、４５及びナット４６、４６によって固定されて、水平部４４ｂ、４４ｂが互いに相対する方向へ張り出している。水平片４３・・は、図９に示すように、潅水ホース４７を取り付けるホース取付部とされている。
【００２８】
このように基盤設置領域２５・・に植栽基盤３０・・を設置し、しかもその上面を押さえ部材４０・・によって押さえ付けることで、植生基盤３０・・の勾配方向への滑り及び桁行方向へのずれ、さらには浮き上がりを防止して、勾配屋根に対して植栽基盤３０・・を整然と安定して保持させることができる。なお、植栽基盤３０・・を設置した後に、押さえ部材４０・・を取り付けるだけでなく、押さえ部材４０・・を取り付けた後に、植栽基盤３０・・を設置するようにしても良い。
【００２９】
続いて、図１０及び図１１に示すように、植栽基盤３０・・上に、例えば芝類やセダム類、多年草等の植物５０を植え付ける。この植え付けは、植栽基盤３０・・の設置前に予め行っておいても良い。このように植物５０を植え付けることで、連結キャップ２０・・の上端部は完全に隠され、また押さえ部材４０・・や潅水ホース４７の一部も植物５０によって埋もれて外部から見え難くなり、見栄えを良好に維持することができる。
【００３０】
この発明は、上記実施形態に限定されるものではなく、この発明の範囲内で上記実施形態に多くの修正及び変更を加え得ることは勿論である。
【図面の簡単な説明】
【００３１】
【図１】この発明の一実施形態に係る勾配屋根の緑化構造における緑化用下地板の敷設時の状態を示す斜視図である。
【図２】吊子の斜視図である。
【図３】連結キャップの取り付け時の状態を示す斜視図である。
【図４】連結キャップの斜視図である。
【図５】連結キャップによる連結状態を示す縦断面図である。
【図６】植栽基盤の設置時の状態を示す斜視図である。
【図７】押さえ部材の取り付け時の状態を示す斜視図である。
【図８】押さえ部材の斜視図である。
【図９】潅水ホースの取り付け時の状態を示す斜視図である。
【図１０】緑化構造の縦断面図である。
【図１１】緑化構造の斜視図である。
【符号の説明】
【００３２】
１・・屋根下地面、２・・緑化用下地板、６・・立上がり片、７・・滑り止め片、１０・・吊子、１２・・固定片、１３・・垂直片、１４・・係合片、２０・・連結キャップ、２５・・基盤設置領域、２６・・隙間、３０・・植栽基盤、４０・・押さえ部材、４３・・ホース取付部、４７・・潅水ホース、５０・・植物
【図１】
2008184795.tif 000003
【図２】
2008184795.tif 000004
【図３】
2008184795.tif 000005
【図４】
2008184795.tif 000006
【図５】
2008184795.tif 000007
【図６】
2008184795.tif 000008
【図７】
2008184795.tif 000009
【図８】
2008184795.tif 000010
【図９】
2008184795.tif 000011
【図１０】
2008184795.tif 000012
【図１１】
2008184795.tif 000013